(57)【要約】      （修正有）【課題】目部をブランク部に形成するにあたって目部とブランク部との違和感が無く、きちんと取付けされたトルマリン含有電磁波防止機器を提供する。【解決手段】目部２と、目部形成部を備えたブランク部１とを有するトルマリン粉末含有電磁波防止機器であって、前記ブランク部は、前記ブランク部の表面にトルマリン粉末含有材料が塗布又は印刷されており、前記目部２は、ブランク部の材料と相溶性の良い材料を用いて、前記目部形成部にインサート成形して、トルマリン粉末含有電磁波防止機器を構成する。【選択図】図１
0003155634.tif 000002
【実用新案登録請求の範囲】
【請求項１】
目部と、目部形成部を備えたブランク部とを有するトルマリン粉末含有電磁波防止機器であって、
前記ブランク部の表面にトルマリン粉末含有材料が塗布又は印刷されており、
前記目部は、ブランク部の材料と相溶性の良い材料を用いて、前記目部形成部にインサート成形されたものであることを特徴とするトルマリン粉末含有電磁波防止機器。
【請求項２】
前記インサート形成が、前記相溶性の良い材料に、ラメ又はメタリックを混入してインサート形成されたものであること特徴とする請求項１記載のトルマリン粉末含有電磁波防止機器。
【考案の詳細な説明】
【技術分野】
【０００１】
我々の生活環境を取り巻く様々な家電製品、ＯＡ機器からは、身体に有害な電磁波が多量に発生している。この電磁波により発生したプラスイオンは、身体の細胞を弱らせるといわれており、この弱った細胞にマイナスイオンを照射することによって細胞膜の老化を防止することができるといわれている。
本考案に係る製品は、トルマリン等の天然鉱石からマイナスイオンが発生し、これにより頭痛、めまい、目の疲れ、筋肉の疲れ等の電磁波障害を防止するとされる電磁波防止機器に関するものである。よって、本考案は、携帯電話、テレビ、電子レンジ、エアコン、ヘアードライア等の家電製品、あるいはパソコン、コピー機等のＯＡ機器に貼付して使用することができる電磁波防止機器に関する。
【背景技術】
【０００２】
従来から、電磁波からの影響を緩和すると同時に身体の周辺にマイナスイオンを供給できるようにしたもので、合成樹脂により形成されるプレートの一方に粒径０．５μ〜５０μの電気石粉を混合した塗料を塗布してトルマリン層を形成するプレート等が存在する（考案の名称「プレート」、特開平１１−２４４４００号公報等）。
【特許文献１】特開平１１−２４４４００号公報
【考案の開示】
【考案が解決しようとする課題】
【０００３】
本考案が解決しようとする課題は、目部をブランク部に形成するにあたって目部とブランク部との違和感が無く、目部がブランク部にきちんと取付けされた電磁波防止機器を提供することである。
【課題を解決するための手段】
【０００４】
本考案は、通常のプラスチック加工技術によってブランク部を形成後、ブランク部の材料と相溶性の良い材料でブランク部内部の目部形成部に目部をインサート成形された電磁波防止機器を提供する。
【０００５】
即ち、本考案は、目部と、目部形成部を備えたブランク部とを有するトルマリン粉末含有電磁波防止機器であって、前記ブランク部の表面にトルマリン粉末含有材料が塗布又は印刷されており、前記目部は、ブランク部の材料と相溶性の良い材料を用いて、前記目部形成部にインサート成形されたものであることを特徴とするトルマリン粉末含有電磁波防止機器を提供する。
【考案の効果】
【０００６】
本考案の機器は、目部がブランク部の材料に相溶性の良い材料でインサート成形されているので衝撃を加えても外れない。又、表面から見た場合にも目部がブランク部に完全に密着しているので美観が損なわれることはない。
【０００７】
又、本考案は、前記のトルマリン粉末含有電磁波防止機器であって、前記インサート形成が、前記相溶性の良い材料に、ラメ又はメタリックを混入してインサート形成されたものであるため、できあがった製品は強い衝撃を加えても目部が脱落することがない。
【考案を実施するための最良の形態】
【０００８】
図１は、本考案の一実施例である機器の表面図である。ブランク部（１）と目部（２）が見えている。図２は、本考案の一実施例である機器の平面図である。ブランク部（１）が見えている。図３は、本考案の一実施例である機器の底面図である。ブランク部（１）が見えている。図４は、本考案の一実施例である機器の右側面図である。ブランク部（１）が見えている。
ブランク部の表面はマイナスイオン発生天然鉱石粉末含有材料で印刷又は塗装されている。この塗装によって不透明となっているが、一部塗装せず透明部としてもよい。図５は、断面図である。目部（２）はブランク部に嵌合している。
図６は、図５のＡ−Ａ部の拡大図である。目部（２）は、ブランク部の内側に取付けられ、なおかつブランクの表面に近いところまで設けられている。ブランク部裏面には、両面テープが貼られていて、適宜、電子機器等の表面などに本考案品を貼付できる。
【０００９】
本考案に係る機器は、まず、公知の方法によりその内部に目部形成部を設けた合成樹脂製のブランク部（１）を形成し、ブランク部表面にトルマリン粉末含有材料を塗布又は印刷し、次にラメ又はメタリックを混入した材料をブランク部内部の目部形成部にインサート成形して得られるものである。
ブランク部の裏面には文字又は図形印刷、カラー印刷等の印刷がされている。
別の本考案の別の一実施例としては、インサート成形後、加熱乾燥されて完成された機器も本考案の機器に含まれる。
【００１０】
目部（２）をインサート成形する際に用いられるブランク部の材料と相溶性の良い材料としては、適宜選択して用いることができる。この材料に、ラメ又はメタリックを混入して成形すると、ブランク部の合成樹脂材料との相溶性が良く、できあがった製品は強い衝撃を加えても目部（２）が脱落することがない。
【００１１】
又、表面にはマイナスイオン発生天然鉱石粉末含有材料を塗布又は印刷することができる。ブランク部の裏面には文字又は図形を印刷又はカラー印刷してもよく、その後乾燥のため熱を加えてもブランク部への目部の取付けはしっかりしており一切影響がない。
【００１２】
ブランク部の表面は曲面であるが、マイナスイオン発生天然鉱石粉末含有材料を塗布又は印刷しやすい形状となっている。
【００１３】
目部（２）は、非常に薄いが、ブランク（１）の材料に相溶性の良い材料でインサート成形されているので衝撃を加えても外れない。
【００１４】
又、ブランク部（１）の表面から見た場合、目部にラメ、メタリックが反映して美観が優れている。
【産業上の利用可能性】
【００１５】
目部とブランク部との違和感が無く、目部がブランク部にきちんと取付けされた電磁波防止機器に適用できる。
【図面の簡単な説明】
【００１６】
【図１】図１は、本考案の一実施例である機器の表面図である。
【図２】図２は、本考案の一実施例である機器の平面図である。
【図３】図３は、本考案の一実施例である機器の底面図である。
【図４】図４は、本考案の一実施例である機器の右側面図である。
【図５】図５は、断面図である。
【図６】図６は、図５のＡ−Ａ部の拡大図である。
【符号の説明】
【００１７】
１ ブランク部
２ 目部
【図１】
0003155634.tif 000003
【図２】
0003155634.tif 000004
【図３】
0003155634.tif 000005
【図４】
0003155634.tif 000006
【図５】
0003155634.tif 000007
【図６】
0003155634.tif 000008